(57)【特許請求の範囲】
【請求項１】
排水口に使用される排水トラップであって、
トラップ本体から、封水トラップを形成する部材と、自封トラップを形成する部材とをそれぞれ着脱自在にし、
前記封水トラップを形成する部材および前記自封トラップを形成する部材のトラップ本体への取付部を共通として、相互に切り替え可能とした
ことを特徴とする排水トラップ。
【請求項２】
前記封水トラップは、椀トラップとトラップ本体に取り付けられる封水筒とから構成される椀型トラップであり、
前記封水筒及び前記自封トラップのトラップ本体への取付部を共通にした
ことを特徴とする請求項１記載の排水トラップ。
【請求項３】
前記封水トラップは、トラップ本体の内底に着脱自在に載置される逆椀トラップとトラップ本体に吊り下げて取り付けられる封水筒とから構成される逆椀型トラップであり、
前記封水筒及び前記自封トラップのトラップ本体への取付部を共通にした
ことを特徴とする請求項１記載の排水トラップ。
【請求項４】
前記封水トラップは、トラップ本体に吊り下げて取り付けられる逆椀トラップ及び封水筒で構成される逆椀型トラップであり、
前記封水筒及び逆椀トラップのトラップ本体への取付部と、前記自封トラップのトラップ本体への取付部とを共通にした
ことを特徴とする請求項１記載の排水トラップ。
【請求項５】
排水口に使用される排水トラップであって、
封水トラップを形成するＳ字トラップと、
Ｓ字トラップの配管を短絡させるバイパス管と、
バイパス管の開閉を切り替える切替弁と、
排水口近傍に自封トラップを着脱自在に取り付け可能な取付部とを備える
ことを特徴とする排水トラップ。
【発明の詳細な説明】
【技術分野】
【０００１】
本発明は、キッチンの流し台、洗面台、浴室等の排水口において、排水管からの臭気や虫の侵入を防止する排水トラップに関する。
【背景技術】
【０００２】
従来、排水トラップとしては、封水式のトラップと、非封水式のトラップ、いわゆる自封トラップとが使用されている。例えば、特許文献１では、封水式トラップとして、封水筒の周囲に封水容器が形成され、封水容器内に封水筒の上端部を上から覆うようにお椀が被せられた形式のものが開示されている。また、特許文献２では、自封トラップとして、排水管から排出される排水が自由に流れることができる筒状部材と、筒状部材の下流側でその内側又は外側に設けられた弁部材とを有し、筒状部材からの排水には弁部材が開いて流路を形成し、排水がないときは弾性力によって弁部材が閉じて流路を閉塞するというものが開示されている。そして、排水配管には上記のいずれか一方のトラップが施工されている。
【先行技術文献】
【特許文献】
【０００３】
【特許文献１】特開２０１０−４８０３０号公報
【特許文献２】特開２００２−１３８５４７号公報
【発明の概要】
【発明が解決しようとする課題】
【０００４】
しかしながら、いずれか一方のトラップを施工すると、後ほど他方のトラップへ変更したくなっても、自封トラップから封水式トラップへは変更ができないという問題がある。また、封水式トラップから自封トラップへの変更は、図９に示すように、封水トラップ１００の配管上に自封トラップ１０１を配置することができるが、封水Ｆとして使用していた水は溜まったままで死に水となってしまい、悪臭やカビの発生といった不衛生な状態を招くおそれがある。
【０００５】
そこで、本発明は、上記のような問題点に鑑みなされたものであり、封水式トラップと自封トラップとを相互に変更可能な排水トラップを提供することを目的とする。
【課題を解決するための手段】
【０００６】
上記目的を達成するために、本発明に係る排水トラップは、排水口に使用される排水トラップであって、トラップ本体から、封水トラップを形成する部材と、自封トラップを形成する部材とをそれぞれ着脱自在にしたことを特徴とする。
【０００７】
これによって、封水式トラップと自封トラップとを相互に変更することが可能な排水トラップが実現される。
【０００８】
ここで、前記封水トラップは、椀トラップとトラップ本体に取り付けられる封水筒とから構成される椀型トラップであり、前記封水筒及び前記自封トラップのトラップ本体への取付部を共通にしたことを特徴とする排水トラップとしてもよい。
【０００９】
これによって、椀型トラップの場合でも、封水式トラップと自封トラップとを相互に切り替えることができる。
【００１０】
また、前記封水トラップは、トラップ本体の内底に着脱自在に載置される逆椀トラップとトラップ本体に吊り下げて取り付けられる封水筒とから構成される逆椀型トラップであり、前記封水筒及び前記自封トラップのトラップ本体への取付部を共通にしたことを特徴とする排水トラップとしてもよい。
【００１１】
これによって、トラップ本体の内底に逆椀を配置する逆椀型トラップの場合でも、封水式トラップと自封トラップとが相互に切り替え可能になる。
【００１２】
また、前記封水トラップは、トラップ本体に吊り下げて取り付けられる逆椀トラップ及び封水筒で構成される逆椀型トラップであり、前記封水筒及び逆椀トラップのトラップ本体への取付部と、前記自封トラップのトラップ本体への取付部とを共通にしたことを特徴とする排水トラップとすることもできる。
【００１３】
これによって、トラップ本体から封水筒とともに逆椀トラップを吊り下げる逆椀型トラップの場合でも、封水式トラップと自封トラップとが相互に切り替え可能になる。
【００１４】
さらに、排水口に使用される排水トラップであって、封水トラップを形成するＳ字トラップと、Ｓ字トラップの配管を短絡させるバイパス管と、バイパス管の開閉を切り替える切替弁と、排水口近傍に自封トラップを着脱自在に取り付け可能な取付部とを備えることを特徴とする排水トラップとして実現することもできる。
【００１５】
これによれば、Ｓ字トラップの場合でも、封水式トラップと自封トラップとを相互に変更することができるようになる。
【発明の効果】
【００１６】
以上説明したように、本発明に係る排水トラップによれば、トラップ本体から、封水トラップを形成する部材と、自封トラップを形成する部材とをそれぞれ着脱自在にし、それぞれの部材のトラップ本体への取付部を共通化しているので、封水式トラップと自封トラップとを相互に切り替え可能な排水トラップが実現される。
【図面の簡単な説明】
【００１７】
【図１】実施の形態１の排水トラップを封水トラップとした場合を示す図である。
【図２】実施の形態１の排水トラップを自封トラップとした場合を示す図である。
【図３】実施の形態２の排水トラップを封水トラップとした場合を示す図である。
【図４】実施の形態２の排水トラップを自封トラップとした場合を示す図である。
【図５】実施の形態３の排水トラップを封水トラップとした場合を示す図である。
【図６】実施の形態３の排水トラップを自封トラップとした場合を示す図である。
【図７】実施の形態４の排水トラップを封水トラップとした場合を示す図である。
【図８】実施の形態４の排水トラップを自封トラップとした場合を示す図である。
【図９】封水トラップを自封トラップに変更した場合の従来例を示す図である。
【発明を実施するための形態】
【００１８】
以下、本発明の実施の形態について図面を用いながら説明する。
【００１９】
図１は、実施の形態１の排水トラップを封水トラップとした場合を示す図であり、図２は、実施の形態１の排水トラップを自封トラップとした場合を示す図である。
【００２０】
実施の形態１に係る排水トラップは、いわゆる椀型のトラップであり、封水トラップとする場合には、トラップ本体１０の内側に設けられる封水筒１２、及び、封水筒１２の開口部分を上から被せるように配置される椀トラップ１３の部材により構成され、封水Ｆが排水管２から排水口１側への臭気の逆流や虫の侵入を防止するようになっている。トラップを形成する部材である封水筒１２は、その下端の縁部がトラップ本体１０の係合部１１と係合することにより、トラップ本体１０に着脱自在に取り付けられている。
【００２１】
この実施の形態１に係る排水トラップを非封水トラップ、すなわち、自封トラップへ変更する場合には、封水筒１２と椀トラップ１３とを取り外して、トラップ本体１０の係合部１１に自封トラップ１４の上端の縁部を係合させて、トラップを形成する部材である自封トラップ１４を排水管２に嵌め入れることにより可能となる。このとき、図２中において破線で示すように、封水筒１２と椀トラップ１３とによる封水Ｆはトラップ本体１０内に溜まることがないので、死に水を発生させずに封水トラップと自封トラップとを相互に切り替えることができる。
【００２２】
このように、椀型トラップの場合には、封水筒１２の下端縁部および自封トラップ１４の上端縁部の両方に係合するように、トラップ本体１０の係合部１１を構成することにより、封水トラップと自封トラップとの相互変更が可能となる。言い換えれば、トラップ本体１０に対する封水筒１２の取付部と、トラップ本体１０に対する自封トラップ１４の取付部とを共通化することにより、封水トラップと自封トラップ間の相互切替を実現することができる。
【００２３】
次に、実施の形態２の排水トラップについて説明する。
【００２４】
図３は、実施の形態２の排水トラップを封水トラップとした場合を示す図であり、図４は、実施の形態２の排水トラップを自封トラップとした場合を示す図である。
【００２５】
実施の形態２に係る排水トラップは、いわゆる逆椀型のトラップであり、封水トラップとする場合には、トラップ本体２０の内部に吊下げられた封水筒２２とトラップ本体２０の内底に載置された逆椀トラップ２３とにより構成され、逆椀トラップ２３内で封水Ｆが形成されるようになっている。封水筒２２は、その上端の縁部がトラップ本体２０の係合部２１と係合することにより、トラップ本体２０に着脱自在に取り付けられており、トラップ本体２０の内底に載置された逆椀トラップ２３もトラップ本体２０の内底から取り外し可能に構成されている。
【００２６】
この実施の形態２に係る排水トラップを自封トラップへ変更する場合には、封水筒２２と逆椀トラップ２３とをトラップ本体２０から取り外して、トラップ本体２０の係合部２１に自封トラップ２４の上端の縁部を係合させて、封水筒２２と同様に自封トラップ２４をトラップ本体２０の内部に吊下げることにより可能となる。このとき、図４中において破線で示すように、封水Ｆは逆椀トラップ２３内にもトラップ本体２０内にも溜まることがなく、衛生状態を保ちつつ、封水トラップと自封トラップとの相互切替を実現することができる。
【００２７】
このように、トラップ本体内に載置する逆椀型の排水トラップの場合には、逆椀トラップ２３と封水筒２２とをトラップ本体２０から着脱自在なものとし、封水筒２２の上端縁部および自封トラップ２４の上端縁部の両方に係合するように、トラップ本体２０の係合部２１を構成することにより、封水トラップと自封トラップとを相互に変更することができるようになる。
【００２８】
続いて、実施の形態３の排水トラップについて説明する。
【００２９】
図５は、実施の形態３の排水トラップを封水トラップとした場合を示す図であり、図６は、実施の形態３の排水トラップを自封トラップとした場合を示す図である。
【００３０】
実施の形態３に係る排水トラップは、上記実施の形態２と同様の逆椀型のトラップである。上記実施の形態２と異なり、この排水トラップは、封水トラップとする場合には、封水筒３２と逆椀トラップ３３とが共にトラップ本体３０の内部に吊下げられることにより構成され、逆椀トラップ３３内で封水Ｆが形成されるようになっている。封水筒３２と逆椀トラップ３３は、各々の上端の縁部がトラップ本体３０の係合部３１と係合することにより、トラップ本体３０に着脱自在に取り付けられている。
【００３１】
この実施の形態３に係る排水トラップを自封トラップへ変更する場合には、封水筒３２と逆椀トラップ３３とをトラップ本体３０から取り外して、トラップ本体３０の係合部３１に自封トラップ３４の上端の縁部を係合させて、封水筒３２および逆椀トラップ３３と同様に自封トラップ３４をトラップ本体３０の内部に吊下げることにより可能となる。このとき、図６中において破線で示すように、封水Ｆは逆椀トラップ３３内にもトラップ本体３０内にも溜まらないので、死に水を発生させることなく、封水トラップと自封トラップとを相互に切り替えることができる。
【００３２】
このように、トラップ本体内に吊下げる逆椀型の排水トラップの場合には、封水筒３２と逆椀トラップ３３とをトラップ本体３０から着脱自在なものとし、封水筒３２および逆椀トラップ３３の各々の上端縁部と、自封トラップ３４の上端縁部の両方に係合するように、トラップ本体３０の係合部３１を構成することにより、封水トラップと自封トラップ間の相互切替が可能となる。
【００３３】
さらに続いて、実施の形態４の排水トラップについて説明する。
【００３４】
図７は、実施の形態４の排水トラップを封水トラップとした場合を示す図であり、図８は、実施の形態４の排水トラップを自封トラップとした場合を示す図である。
【００３５】
実施の形態４に係る排水トラップは、いわゆるＳ字型のトラップであり、封水トラップとする場合には、切替弁４１を操作してバイパス管４２を閉塞状態にすることにより、Ｓ字トラップ４０を構成して、封水Ｆが形成されるようになっている。
【００３６】
この実施の形態４に係る排水トラップを自封トラップへ変更する場合には、排水管の入り口近傍に自封トラップ４３を嵌め入れ、切替弁４１を操作して、、Ｓ字トラップ４０の配管を短絡させるバイパス管４２を開通状態にすることにより可能となる。すなわち、図８中において破線で示すように、バイパス管４２を開通状態とすることでＳ字トラップ４０のトラップ機能が解消され、封水ＦはＳ字トラップ４０内にも溜まることがなく、死に水を発生させずに封水トラップと自封トラップとを相互に変更することが可能となる。
【００３７】
以上、本発明に係る排水トラップについて、各実施の形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【産業上の利用可能性】
【００３８】
本発明に係る排水トラップは、キッチンの流し台、洗面台、浴室等の排水口等に使用され、排水管からの臭気や虫の侵入を防止する排水トラップとして好適である。
【符号の説明】
【００３９】
１                排水口
２，３            排水管
４，４ａ，４ｂ    排水口栓
５                洗面ボウル
１０，２０，３０  トラップ本体
１１，２１，３１  係合部
１２，２２，３２  封水筒
１３              椀トラップ
１４，２４，３４，４３  自封トラップ
２３，３３        逆椀トラップ
４０              Ｓ字トラップ
４１              切替弁
４２              バイパス管
【図１】
0005688529.tif 000002
【図２】
0005688529.tif 000003
【図３】
0005688529.tif 000004
【図４】
0005688529.tif 000005
【図５】
0005688529.tif 000006
【図６】
0005688529.tif 000007
【図７】
0005688529.tif 000008
【図８】
0005688529.tif 000009
【図９】
0005688529.tif 000010